(57)【要約】【課題】  婚礼用等の裾部が長い衣服においても、裾部に付着する汚れを著しく軽減・防止し、汚れ落とし作業の作業の経費及び作業時間を大幅に抑制することができ、さらに人体及び環境に安全な衣服保護材の提供。【解決手段】衣服が床面と接触する部分に貼着して、汚れや損傷から衣服を保護するための衣服保護材であって、長尺テープ１１をその長手方向と直角に山部１２谷部１３を設けるように折り畳んで蛇腹状に形成し、該長尺テープ１１のいずれかの山部１２先端外面側に粘着剤１４を設けてあることを特徴とする。また、前記長尺テープ１１は紙で構成されていることを特徴とする。さらに、前記保護材１０の山部１２先端外面側に設けられた粘着剤１４上に、さらに剥離シート１５が被覆されていることを特徴とする。【選択図】  図１
2005344238.tif 000002
【特許請求の範囲】
【請求項１】
衣服が床面と接触する部分に貼着して、汚れや損傷から衣服を保護するための衣服保護材であって、
長尺テープをその長手方向と直角に山部谷部を設けるように折り畳んで蛇腹状に形成し、
該長尺テープのいずれかの山部先端外面側に粘着剤を設けてあることを特徴とする衣服保護材。
【請求項２】
前記長尺テープは紙及び／又は熱可塑性樹脂で構成されていることを特徴とする請求項１に記載の衣服保護材。
【請求項３】
前記保護材の山部先端外面側に設けられた粘着剤上に、さらに剥離シートが被覆されていることを特徴とする請求項１又は２に記載の衣服保護材。
【請求項４】
前記保護材の少なくとも粘着剤と反対側の山部先端に、長手方向と平行に複数の切込み部を形成していることを特徴とする、請求項１〜３のいずれかに記載の衣服保護材。
【発明の詳細な説明】
【技術分野】
【０００１】
本発明は、衣服保護材に関し、衣服が床面と接触する部分に貼着して、汚れや損傷から衣服を保護するための衣服の内側又は外側、若しくは両側の端縁部に貼着し、着用時において衣服に付着する汚れや、衣服の損傷を軽減・防止するための衣服保護材に関する。
詳しくは、ウェディングドレス、イブニングドレス、パニエ等の、スカートの裾が長い衣服の裾端縁部に沿うように貼着してスカートの裾部分を保護する衣服保護材に関する。
【背景技術】
【０００２】
一般に、女性が着るウェディングドレスやイブニングドレス等は、図６に示すように、そのスカートは裾部分が長く、トレーンを引くことが多い（図６（ａ）参照）。また、打掛けなどの和装においても裾や袖を引くことが多い（図６（ｂ）参照）。
このような衣服は、床面との接触でかなりの量の汚れが裾部等に付着するため、その汚れ落とし作業には、現在多大な経費と作業時間が費やされている。
【０００３】
上記のようなウェディングドレスなどの婚礼用のドレスの汚れ落とし作業は、専ら手作業で行われるため作業者に大変な負担となり、このため費用も高価となる。人件費に加えて、婚礼用衣装クリーニング専用の機械設置費・薬品や洗剤代などを必要とするため、さらに費用が嵩むこととなる。
また、汚れ落とし作業に使用する薬品・洗剤等には、人体に有害な物質が含まれている場合もあり、これらの物質の中には、米国では既に使用が禁止されているものも多く、特に出産を控えた女性には危険なものがあると言われている。婚礼用ドレスの着用者や洗浄に携わる女性は、常に危険に直面していると言っても過言ではなく、このような危険物質の使用は直ちに回避する必要がある。
さらに、床面との摩擦により衣服裾部に損傷が発生する場合も多い。このため、このような汚れ防止用の保護カバーとして特許文献１のものが提案されている。特許文献１には、テープ本体の片面において、その長手方向に所用幅の粘着剤層を設けて、両粘着剤間に無粘着剤層部を残存形成し、且つ片面の全面に剥離シートを貼着すると共に、無粘着剤層部に位置して剥離シートに長手方向に沿う切れ目を設けて構成した衣服端縁部の摺接汚損防止用テープが記載されている。
【特許文献１】特開平７−２１６６１３号公報
【発明の開示】
【発明が解決しようとする課題】
【０００４】
しかし、特許文献１の摺接汚損防止用テープは、面状テープであるので、ウェディングドレス、イブニングドレス、パニエ等の、曲線状や曲面状を呈したスカートの裾端縁部の形状に沿うように貼着することは難しく、立体的なスカート裾部分を確実に保護することは困難であると考えられる。
本発明は上記の問題点に鑑み、スカートなどの裾部の立体的な形状に沿うように裾端縁部に貼着して用いることができる衣服保護材を提供することを目的とし、衣服が床面と接触する部分に貼着して、汚れや損傷から衣服を保護するための衣服保護材を開発するに至った。
【課題を解決するための手段】
【０００５】
本発明の請求項１に記載の衣服保護材は、衣服が床面と接触する部分に貼着して、汚れや損傷から衣服を保護するための衣服保護材であって、長尺テープをその長手方向と直角に山部谷部を設けるように折り畳んで蛇腹状に形成し、該長尺テープのいずれかの山部先端外面側に粘着剤を設けてあることを特徴とする。
請求項２に記載の衣服保護材は、請求項１において、前記長尺テープは紙及び／又は熱可塑性樹脂で構成されていることを特徴とする。
請求項３に記載の衣服保護材は、請求項１又は２において、前記保護材の山部先端外面側に設けられた粘着剤上に、さらに剥離シートが被覆されていることを特徴とする。
請求項４に記載の衣服保護材は、請求項１〜３のいずれかにおいて、前記保護材の、少なくとも粘着剤と反対側の山部先端に、長手方向と平行に複数の切込み部を形成していることを特徴とする。
【発明の効果】
【０００６】
本発明の衣服保護材によれば、特に裾部等が長い衣服においても、汚れを著しく軽減・防止することができ、汚れ落とし作業においては本発明の保護材を取り外すだけでよく、作業の経費及び作業時間を大幅に抑制することができた。さらには、危険物質を含むクリーニング用洗剤・薬品の使用を回避することができ、取り外したテープは焼却処分しても有害物質を発生することがないため、人体や環境にも安全である。
【発明を実施するための最良の形態】
【０００７】
以下、本発明の衣服用保護材の構造を詳細に説明する。
図１は本発明の衣服保護材を示し、（ａ）は衣服保護材の素材である長尺テープの斜視図を示し、（ｂ）は長尺テープを折り畳んで蛇腹状に形成した衣服保護材を示す斜視図である。
図１に示すように、本発明の衣服保護材１０は、衣服が床面と接触する部分に貼着して、汚れや損傷から衣服を保護するために用いられるものであって、長尺テープ１１（図１（ａ）参照）をその長手方向Ｘと直角方向に山部１２及び谷部１３を設ける（テープ１１の長手方向Ｘと山部１２先端の稜線が直角になる）ように折り畳んで蛇腹状に形成し、長尺テープの山部１２先端（稜線）の外面側に粘着剤１４が設けられている（図１（ｂ）参照）。
【０００８】
衣服保護材１０を蛇腹状に形成した場合の折り曲げ高さｈは、本発明において特に規定するものではないが、一般的なウエディングドレスの裾部に貼着するものとしては、１ｍｍ〜１ｃｍ程度であることが好ましい。
長尺テープを１ｍｍ以下の高さｈになるように加工して多数のひだを形成するのは手間及びコストがかかり、一方、高さｈを１ｃｍ以上になるように加工すると、衣服に貼着した際に折り曲げ高さｈが大きいため、保護材が目立つようになり外観上好ましくない。一般的なウエディングドレスの裾部に用いる場合は、平均的には、衣服保護材１０の折り曲げ高さｈは、５ｍｍ程度であることが好ましい。
【０００９】
長尺テープ１１を蛇腹状に加工する方法としては、公知の折り曲げ加工により行うことができる。すなわち、長尺テープ１１を、長手方向に１ｍｍ〜１ｃｍの間隔で山折り・谷折りの交互折り曲げを繰り返し、蛇腹状の保護材１０を形成することができる。
若しくは、後述するように、長尺テープ１１を、一対の歯車状の噛み合い成型用ローラの間を通して、これにより長尺テープ１１に山部谷部の折り目を付けて蛇腹状に加工することもできる。
また、上下に噛み合う歯形を金型としてプレス加工等によっても折り目を形成することができる。
【００１０】
保護材１０の厚みは、本発明において特に規定するものではないが、取扱易さなどを考慮すると、０．０１５ｍｍ〜１．０ｍｍ程度であることが好ましい。０．０１ｍｍ以下である場合、衣服の汚れを軽減する目的を充分に達成することができず、また厚みがないため耐久性にも劣り衣服の損傷を防止することができないおそれがある。
一方、１．０ｍｍ以上である場合、原料厚みからコストがかかるだけでなく、折り畳んで蛇腹状に形成することが困難であり、また、重量が大きくなるため衣服の裾部の貼着したときの床との摩擦音が大きくなるため好ましくない。
【００１１】
保護材１０のカバー幅ｗは、本発明において特に規定するものではないが、５〜３０ｃｍであることが好ましい。一般的なウェディングドレスや婚礼和装の裾部において、床面と接触する裾部幅１５（図３（ｂ）参照）は、５〜３０ｃｍであることが多く、この裾部幅１５全体をカバーするように本発明の衣服保護材を貼着する必要があるからである。
保護材１０のカバー幅ｗは、２５ｃｍ程度であることが特に好ましい。
また、床面との接触面が少ない衣服にあっては、カバー幅ｗは５ｃｍ未満の所望の幅とすることもでき、床との接触面がより多い衣服にあっては、カバー幅ｗを３０ｃｍより大きくすることもでき、カバー幅ｗは、貼着する衣服に応じて適宜決められる。
【００１２】
なお、本発明において保護材１０の長さＬは特に規定するものではない。用いる使用形態に応じてその長さを決定すればよい。長い距離の裾部をカバーするためには、長尺のテープから保護材１０を形成した保護材１０を用いる必要があるからである。このような長尺の保護材の取扱は、丸めたり折り畳み圧縮しておくことで体積を縮小することができる。
【００１３】
保護材１０は、貼着する衣服に合わせて、所望の色彩に着色することもできる。
素材となる長尺テープ１１に染料などで着色することも可能であるし、蛇腹状に形成した後に着色するものであっても良い。更に、模様を有する衣服に取り付ける場合に合わせて、予め同様の模様を長尺テープ１１に付しておくこともできる。
着色する場合、保護材全体を着色する必要はなく、貼着した場合に外部から見える部分のみを着色しても良い。すなわち、衣服などで隠れる部分は着色せずに、外部にはみ出した部分を着色することが好ましい。
【００１４】
長尺テープ１１の材質としては、紙及び／又は熱可塑性樹脂が好ましく用いられる。
上記紙としては、和紙、洋紙，合成紙、グラシン紙、パーチメント紙等を挙げることができるが、特に和紙であることが、ドレスに貼着したときの見栄えの良さや、床面を引きずったときの摩擦音が少ない点で好ましい。すなわち、柔軟かつ軽量な和紙を使用した場合、厳粛・静寂な結婚式の雰囲気を壊すことなく、本発明の目的を達することができるため望ましい。
和紙の原料としては、コウゾ、ミツマタ、ガンピ等が一般的な原料として挙げられるが、これらに加えて、タケ、アサ、ケナフ、イネ、針葉樹パルプ、ブドウ、クワ、スギ、綿なども挙げられる。
【００１５】
熱可塑性樹脂を用いるのは、後述のように本発明の保護材が蛇腹形状に成形したことを特徴とするものであるところ、該成形を行いやすく、且つ形状を保持する性質に優れるものだからである。
これらの中でも、特に透明性に優れた、ポリエチレンテレフタレート、ポリカーボネート、アクリル樹脂、ポリスチレン、塩化ビニリデン、等が、ドレスに貼着したときの見栄えの良さの点から好ましい。すなわち、ドレスの裾から多少出る程度の位置に本発明の保護材を貼着することが、ドレスの防汚の観点からは好ましいところ、透明性に優れた材質を使用する方が、裾から出た保護材部分が目立たず、且つ様々な色のドレスに使用可能であるため、好ましい。
熱可塑性樹脂としては、上に挙げたものの他にも、一般的な熱可塑性樹脂、例えば、ポリエチレン（ＰＥ）、ポリプロピレン（ＰＰ）、アクリロニトリル/スチレン樹脂（ＡＳ）、アクリロニトリル/ブタジエン/スチレン樹脂（ＡＢＳ）、塩化ビニル（ＰＶＣ）、ポリアミド（ＰＡ）、ポリアセタール（ＰＯＭ）、超高分子量ポリエチレン（ＵＨＰＥ）、ポリブチレンテレフタレート（ＰＢＴ）、ポリメチルペンテン（ＴＰＸ）、変性ポリフェニレンエーテル（ＰＰＥ）、ポリフェニレンサルファイド（ＰＰＳ）、ポリエーテルエーテルケトン（ＰＥＥＫ）、ポリテトラフロロエチレン（ＰＴＦＥ）、ポリエーテルイミド（ＰＥＩ）、ポリアリレート（ＰＡＲ）、ポリサルフォン（ＰＳＦ）、ポリエーテルサルフォン（ＰＥＳ）、ポリアミドイミド（ＰＡＩ）、等を用いても良い。
【００１６】
また、和紙及び熱可塑性樹脂シートを、接着剤を介し又は介さずに熱圧着等により積層した積層テープも用いることも好ましい。この際、図４に示すように、和紙と透明熱可塑性樹脂シートとを、長手方向に対して所定の幅だけ垂直方向にずらせて重ね合わせ、接着剤を介し又は介さずに積層し、その後蛇腹状に成形して保護材とすることが特に好ましい。これは、ドレスの裾からはみ出ている部分はひと目に触れるため、外観上透明な熱可塑性樹脂であることが好ましいことに加え、床面と多く接触する部分は、前述のように床面と保護材の摩擦音を少なくする観点から和紙を使用することが好ましいからである。
ここで、前記和紙と、前記透明熱可塑性樹脂シートとの重ね合わせ部分は、１ｃｍ程度であることが、コスト及び耐久性の面から好ましい。更に、前記透明熱可塑性樹脂シート部分の幅は２ｃｍ程度であれば、外観上の観点からは充分である。加えて、前記和紙と透明熱可塑性樹脂シートとの重ね合わせの順序としては、和紙が床との接触側に、樹脂がドレス側になるように重ね合わせることが、床に接する材質が和紙であり、前記樹脂が床と接する面がより少なくなるため、摩擦音を少なくする点から好ましい。
【００１７】
その他、長尺テープ１１の材質としては、不織布、綿布、合成繊維布、セロファン、金属箔など、シート状であれば特に限定することなく使用することができる。
【００１８】
本発明の保護材は、図１に示すように、蛇腹状に形成されている。このような構成とすることによりカバーが長手方向Ｘに自在に伸縮し、衣服裾部の曲線形状に合わせて貼着することができる。
加えて、蛇腹状に形成されていることにより、衣服に貼着した際に床面との接触面積が減少するため、床面を擦った際に発生する摩擦音を軽減し、厳粛な結婚式の雰囲気を妨げることがないという効果もある。
【００１９】
なお、本発明の衣服保護材１０の蛇腹状の形状としては、山谷線が明瞭な、長手方向の断面が三角形状のもの、山谷線が曲率を有している、断面が波状のもの、山部谷部に平面が形成される、断面が凹凸状（ジグザグ状）のものであっても良い。
【００２０】
保護材１０は、床面に付着した飲み物等の液体の付着を防ぎ、衣服に浸透することを防止するため、防水加工が施されていることが好ましい。防水加工としては、通常紙などに施される加工方法を用いることができ、例えば、シリコン、樹脂、高分子樹脂、ゴム、ワックス、ワニス等をスプレーで吹き付け、又は塗布して防水膜を被覆するなどの方法が適用できる。
また、長尺テープの片面に合成樹脂フィルムを積層して、フィルムが外になるように（すなわち、床面に接触する側に）折り曲げ加工して蛇腹状の保護材を形成し、フィルムを積層していない側を衣服側と接するように貼着することもできる。
【００２１】
粘着剤１４は、図１（ｂ）に示すように、保護材の山部１２の先端外面側に形成されている。このように、山部１２の先端外面側に粘着剤１４を設け、その部分でのみ衣服裾部に貼着させることで、保護材１０の剥離時において衣服に粘着剤１４が残存することなく、高価な衣装を汚すこともなく好ましい。
また、粘着剤との接触面積を線上として少なくすることにより、保護材の貼着及び剥離が共に容易となり、コストも押さえることができるため好ましい。粘着剤１４の粘着剤の材質としては、本発明において特に規定するものではなく公知の粘着剤を用いることができる。
例えば、粘着性を有するポリマーであるアクリル酸エステル樹脂、アクリルスチレン共重合樹脂、アクリル酸エステル共重合樹脂、メタクリル酸エステル樹脂、メタクリル酸エステル共重合樹脂、エチレン酢酸ビニル樹脂、エチレンアクリル共重合樹脂、酢酸ビニル樹脂、ポリエステル樹脂、アルキッド樹脂等や、ゴム系化合物を主原料とした粘着剤が挙げられる。これらの粘着剤は、保護材１０を剥離させた際に粘着物質が衣服に残存しにくく、且つ衣服を傷めることが少ないことから好ましい。
【００２２】
粘着剤１４の上面には、粘着面を保護し粘着力の低下を防ぐために、図２に示すように、容易に剥離可能な剥離シート１５を貼着することが望ましい。
前記剥離シート１５としては、通常粘着剤の表面を保護するために用いられている公知の剥離紙などを用いることができる。剥離シート１５の粘着剤１４と接触する面には、粘着剤との剥離を容易にするコーティング層が設けられていることが望ましい。
本発明の衣服保護材１０は、取引時において粘着剤上に剥離シート１５を被覆しておき、衣服に貼着する際には前記剥離シート１５を除去して、粘着剤１４を衣服側にして衣服の取り付けようとする部分に重ね合わせ押着することにより、貼着することができる。
【００２３】
本発明の衣服保護材１０は、曲線状や曲面状を呈したスカートの裾端縁部の形状に沿うように貼着するため、長手方向Ｘに自在に伸縮するような蛇腹形状に成形することを特徴としている。加えて、立体的なスカート裾部等の形状にも自在に沿って貼着するため、図５に示すように、テープの少なくとも粘着剤と反対側の山部先端に、長手方向に平行な複数箇所の切込み部１６を形成することが好ましい。
この切込み部１６により、テープが長手方向に平行にも屈曲可能であり、カーブしたスカート裾部等の形状を完全に覆うように貼着することが可能となるため、スカート裾部の汚れ防止のためには好ましい。
なお、前記切込み部１６の深さｋは、前記高さｈの半分以下（ｋ≦１／２ｈ）とすることが、テープの耐性の観点から好ましい。
前記切込み部１６は、テープの両面側の山部先端に、互い違いになるように形成しても良い。
【００２４】
なお、前記粘着剤の代わりに、公知の固着手段、例えば、紐、ボタン、スナップボタン、ファスナー、ジッパー、面ファスナー等を用いて、衣服に貼着することもできる。この場合は、予め衣服と保護材に組となる固着手段を設けておくことが必要である。さらには、糸等により衣服に縫着されるものであっても良いし、ステープルにより取り付けるものであっても良い。
また、保護材の一部にホットメルト型接着剤を塗布しておき、保護材と衣服の裾部を重ね合わせ、その表面からアイロン等により加熱することにより、接着剤が溶融して貼着させるようにしても良い。
【００２５】
（使用の形態）
次に、本発明の衣服保護材の使用方法の例を図３を用いて説明するが、本発明の衣服保護材の使用の形態はこれに限られるものではない。
本発明の衣服保護材は、図３に示すように、例えばウェディングドレスの裾部と床面との接触面に貼着して使用する。ウェディングドレスの裾部は通常曲線形状になっているが、本発明の保護材は蛇腹状に形成されているので、伸縮自在であり、ドレスの裾部の形状に合わせて貼着する。
また、ウェディングドレスの裾部だけでなく、トレーン部やベール部にも貼着可能である。さらには、白色のウェディングドレスだけでなく、カラードレスやカクテルドレス、イブニングドレス、加えて白無垢・打掛等の和装にも使用できる。
【００２６】
（衣服保護材の製造方法）
以下、本発明の衣服保護材の製造方法の一例を図６を用いて説明する。まず和紙を所望の長さ及び幅に裁断し長尺テープ１１とする。和紙は製造段階において着色しておいても良いし、白い和紙を裁断後に衣服の色に合わせてに着色しても良い。また、この段階で着色しない場合には後述の折り曲げ加工して蛇腹状に形成後に着色しても良い。
次に、長尺テープ１１の防汚性及び強度を向上させるために防水加工（Ｂ）を施す。すなわち、防水効果を有するシリコン樹脂等を長尺テープ１１の片面若しくは両面にスプレー等で吹き付け塗布する。この際、防水効果を有するシリコン樹脂等が薄く均一に塗布されるようにすることが好ましい。
次に、長尺テープ１１を、歯形ロールＲ（成型ローラ）の間に通し折り曲げ加工し、蛇腹状に成型する。さらに、蛇腹状に形成された保護材１０の山部先端外面側に粘着剤１４を設ける。必要に応じ、粘着層の上に剥離シート１５を被覆しても良い。
また、保護材１０の山部先端には所望の切込み部１６を形成することもできる。切込み部１６を形成する方法としては、保護材の蛇腹を収縮させた状態にしておき、カッターなどで所定の深さまで切込みを入れる方法等が挙げられる。
【００２７】
なお、前述のように、紙と熱可塑性樹脂を重ね合わせて保護材１０とする場合には、所望の長さ及び幅に裁断した紙及び樹脂シートを、接着剤を介し又は介さずに長尺テープ１１とした後、上記と同様に折り曲げ加工して蛇腹状に形成することができる。
【００２８】
以上、裾を長く引きずる婚礼用衣装を例に挙げて説明してきたが、本発明はこれらの用途に限られるものではない。すなわち、通常の衣服においても、衿部や袖部の内側に張ることにより、皮脂汚れ等を防止することが可能である。本発明の衣服保護材は薄く柔軟性のある和紙等を用いて構成されているため、首や袖に触れても痛くならず、皮膚がかぶれること等もなく、好適に使用することができる。
また、ズボンやスカートの裾部に貼着すれば、雨天等の悪天候の際も泥はね等の汚れが衣服に付着することがなく、汚れが付着したら保護材を剥離するだけでよく、剥離する際も衣服を損傷することがないため、好適に使用することができる。
【産業上の利用可能性】
【００２９】
本発明の衣服保護材によれば、婚礼用等の裾部が長い衣服において、裾部に付着する汚れを著しく軽減・防止することができ、汚れ落とし作業の際は保護材を剥離するだけでよく、作業の経費及び作業時間を大幅に抑制することができる。さらには、危険物質を含むクリーニング用洗剤・薬品の使用を回避することができ、取り外した保護材は焼却処分しても有害物質を発生することがないため、人体や環境にも安全である。
また、本発明の衣服保護材は、礼服に限られず、通常の衣服にも好適に用いることができる。
【図面の簡単な説明】
【００３０】
【図１】本発明の衣服保護材を示し、（ａ）は衣服保護材の素材である長尺テープの斜視図を示し、（ｂ）は長尺テープを折り畳んで蛇腹状に形成した衣服保護材を示す斜視図である。
【図２】本発明の衣服保護材の上面に剥離シートを貼着した例を示す概略斜視図である。
【図３】（ａ）〜（ｃ）は、本発明の衣服保護材の使用方法の例を示した概略説明図である。
【図４】本発明の衣服保護材の構成を示す概略図である。
【図５】（ａ）は本発明の衣服保護材の一例を示す概略図であり、（ｂ）は本発明の衣服保護材の使用方法の例を示した概略説明図である。
【図６】本発明の衣服保護材の製造方法の一例を示す概略図である。
【図７】裾部が床部と接触する態様を示す説明図である。
【符号の説明】
【００３１】
１０：  衣服保護材
１１：  長尺テープ
１２：  山部
１３：  谷部
１４：  粘着剤
１５：  剥離シート
１６：  切込み部
Ｂ  ：  防水加工
Ｒ  ：  歯形ロール
【図１】
2005344238.tif 000003
【図２】
2005344238.tif 000004
【図３】
2005344238.tif 000005
【図４】
2005344238.tif 000006
【図５】
2005344238.tif 000007
【図６】
2005344238.tif 000008
【図７】
2005344238.tif 000009